(57)【特許請求の範囲】
【請求項１】
燃料タンク内に配設したリザーバカップ内の燃料を燃料ポンプにより汲み上げて燃料フィルタを介して車両のエンジンに供給し、該エンジンで消費されなかった余剰燃料を上記リザーバカップ内に回収する一方、上記リザーバカップの燃料をジェットポンプ内に流通させて負圧を発生させ、該負圧を利用して吸入ポートを経て上記燃料タンク内の燃料を上記リザーバカップ内に流入させて該リザーバカップ内の燃料液面を高めるようにした車両用燃料タンクのリザーバカップ装置において、
上記ジェットポンプの吸入ポート内に配設されて、上記燃料の温度が該燃料中にパラフィンを析出させるパラフィン析出温度域にあるときに、バイメタルの変形に応じて閉弁方向に作動して、上記ジェットポンプの吸入ポートを流通する燃料を制限する開閉弁を備えたことを特徴とする車両用燃料タンクのリザーバカップ装置。
【請求項２】
燃料タンク内に配設したリザーバカップ内の燃料を燃料ポンプにより汲み上げて燃料フィルタを介して車両のエンジンに供給し、該エンジンで消費されなかった余剰燃料を上記リザーバカップ内に回収する一方、上記リザーバカップの燃料をジェットポンプ内に流通させて負圧を発生させ、該負圧を利用して吸入ポートを経て上記燃料タンク内の燃料を上記リザーバカップ内に流入させて該リザーバカップ内の燃料液面を高めるようにした車両用燃料タンクのリザーバカップ装置において、
上記燃料フィルタに内蔵され、上記燃料の温度が該燃料中にパラフィンを析出させるパラフィン析出温度域にあるときに作動するヒータと、
上記ジェットポンプの吸入ポート内に配設されて、上記燃料フィルタのヒータの作動と連動して閉弁方向に作動して、上記ジェットポンプの吸入ポートを流通する燃料を制限する開閉弁と
を備えたことを特徴とする車両用燃料タンクのリザーバカップ装置。
【発明の詳細な説明】
【技術分野】
【０００１】
本発明は車両用燃料タンクのリザーバカップ装置に係り、詳しくは低温時において燃料中に析出したパラフィンによる燃料フィルタの目詰まりを防止するためにリザーバカップ内の燃料を迅速に昇温可能なリザーバカップ装置に関する。
【背景技術】
【０００２】
車両に搭載された燃料タンク内の燃料液面は車両の加減速や旋回などに応じて常に揺動しているため、燃料の貯留量が少なくなると燃料ポンプによる燃料の吸い上げが途切れる不具合を生じる。そこで、例えば特許文献１に記載された技術では、燃料タンク内の底部に配設したリザーバカップ内の燃料を燃料ポンプで汲み上げて燃料フィルタを経てエンジンに供給すると共に、燃料タンク内の燃料をリザーバカップ内に常に流入させることにより燃料液面を高めて、上記した燃料の吸い上げ不良を防止している。
【０００３】
なお、リザーバカップ内への燃料流入にはジェットポンプが用いられており、燃料ポンプから吐出された燃料の一部をジェットポンプ内に流通させ、発生した負圧を利用して燃料タンク内の燃料をリザーバカップ内に流入させている。
【先行技術文献】
【特許文献】
【０００４】
【特許文献１】特開２００９−１２７５１４号公報
【発明の概要】
【発明が解決しようとする課題】
【０００５】
ところで、ディーゼルエンジンに使用される軽油やバイオディーゼル燃料は低温時にパラフィンを析出させる性質があり、析出したパラフィンは燃料フィルタを目詰まりさせてエンジン不調を引き起こすという問題がある。そこで、上記特許文献１の技術などでは燃料フィルタにヒータを内蔵させ、燃料の低温時にはヒータを作動させてパラフィンを溶かす対策を実施している。
【０００６】
燃料中のパラフィンの析出量は燃料温度や燃料性状などに応じて変動するが、条件によってはパラフィンの析出量がヒータの融解能力を上回る場合もあり、このような状況では燃料フィルタの目詰まりを解消できなかった。
本発明はこのような問題点を解決するためになされたもので、その目的とするところは、低温環境下においてリザーバカップ内の燃料を迅速に昇温でき、もって燃料中に析出したパラフィンによる燃料フィルタの目詰まりを未然に回避することができる車両用燃料タンクのリザーバカップ装置を提供することにある。
【課題を解決するための手段】
【０００７】
上記目的を達成するため、請求項１の発明は、燃料タンク内に配設したリザーバカップ内の燃料を燃料ポンプにより汲み上げて燃料フィルタを介して車両のエンジンに供給し、エンジンで消費されなかった余剰燃料をリザーバカップ内に回収する一方、リザーバカップの燃料をジェットポンプ内に流通させて負圧を発生させ、負圧を利用して吸入ポートを経て燃料タンク内の燃料をリザーバカップ内に流入させてリザーバカップ内の燃料液面を高めるようにした車両用燃料タンクのリザーバカップ装置において、ジェットポンプの吸入ポート内に配設されて、燃料の温度が燃料中にパラフィンを析出させるパラフィン析出温度域にあるときに、バイメタルの変形に応じて閉弁方向に作動して、ジェットポンプの吸入ポートを流通する燃料を制限する開閉弁を備えたものである。
【０００８】
請求項２の発明は、燃料タンク内に配設したリザーバカップ内の燃料を燃料ポンプにより汲み上げて燃料フィルタを介して車両のエンジンに供給し、エンジンで消費されなかった余剰燃料をリザーバカップ内に回収する一方、リザーバカップの燃料をジェットポンプ内に流通させて負圧を発生させ、負圧を利用して吸入ポートを経て燃料タンク内の燃料をリザーバカップ内に流入させてリザーバカップ内の燃料液面を高めるようにした車両用燃料タンクのリザーバカップ装置において、燃料フィルタに内蔵され、燃料の温度が該燃料中にパラフィンを析出させるパラフィン析出温度域にあるときに作動するヒータと、ジェットポンプの吸入ポート内に配設されて、燃料フィルタのヒータの作動と連動して閉弁方向に作動して、ジェットポンプの吸入ポートを流通する燃料を制限する開閉弁とを備えたものである。
【発明の効果】
【００１０】
以上説明したように請求項１の発明の車両用燃料タンクのリザーバカップ装置によれば、燃料の温度がパラフィン析出温度域にあるときに、バイメタルの変形に応じて閉弁方向に作動する開閉弁によりジェットポンプの吸入ポートを流通する燃料を制限するようにした。従って、パラフィン析出温度域ではバイメタルにより開閉弁が閉弁方向に作動して吸入ポートを流通する燃料を制限し、燃料タンク内の低温の燃料のリザーバカップ内への流入量が減少するため、リザーバカップ内の燃料温度を迅速に上昇させて燃料中のパラフィンを速やかに融解でき、もってパラフィンによる燃料フィルタの目詰まりを未然に回避することができる。
【００１１】
請求項２の発明の車両用燃料タンクのリザーバカップ装置によれば、燃料の温度がパラフィン析出温度域にあるときに、燃料フィルタのヒータの作動と連動して閉弁方向に作動する開閉弁によりジェットポンプの吸入ポートを流通する燃料を制限するようにした。従って、パラフィン析出温度域ではヒータの作動と連動して開閉弁が閉弁方向に作動して吸入ポートを流通する燃料を制限し、燃料タンク内の低温の燃料のリザーバカップ内への流入量が減少するため、リザーバカップ内の燃料温度を迅速に上昇させて燃料中のパラフィンを速やかに融解でき、もってパラフィンによる燃料フィルタの目詰まりを未然に回避することができる。
【図面の簡単な説明】
【００１４】
【図１】第１実施形態の車両用燃料タンクのリザーバカップ装置を示す全体構成図である。
【図２】同じくジェットポンプの詳細を示す部分拡大断面図である。
【図３】第２実施形態の車両用燃料タンクのリザーバカップ装置を示す全体構成図である。
【図４】同じくジェットポンプの詳細を示す部分拡大断面図である。
【図５】第３実施形態の車両用燃料タンクのリザーバカップ装置を示す全体構成図である。
【発明を実施するための形態】
【００１５】
［第１実施形態］
以下、本発明を具体化した車両用燃料タンクのリザーバカップ装置の第１実施形態を説明する。
図１は本実施形態の車両用燃料タンクのリザーバカップ装置を示す全体構成図、図２はジェットポンプの詳細を示す部分拡大断面図である。
【００１６】
車両に搭載された燃料タンク１内の底部にはリザーバカップ２が配設され、これらの燃料タンク１及びリザーバカップ２の内部には燃料が貯留されている。本実施形態の車両は燃料として軽油を使用するが、これに代えてバイオディーゼル燃料を使用してもよい。リザーバカップ２は上方に開口する有底円筒状をなし、その下面２ａと燃料タンク１の底面１ａとの間に僅かな間隙を形成した状態で図示しないブラケットにより固定されている。リザーバカップ２内には燃料ポンプ３が配設され、燃料ポンプ３はストレーナ４を介してリザーバカップ２内の燃料を吸い上げて燃料供給管路５を経てディーゼルエンジン（以下、エンジンという）６に供給するようになっている。燃料タンク１外において燃料供給路５には燃料フィルタ７が介装され、燃料フィルタ７は燃料供給路５を流通する燃料を濾過してエンジン６の燃料系の目詰まりを防止している。
【００１７】
燃料供給路５を経て供給された燃料の一部はエンジン６で消費されず、余剰燃料として燃料回収路８を経てリザーバカップ２に回収されるようになっている。この余剰燃料はエンジン６の燃料系を循環することによりエンジン６から受熱して昇温しており、昇温後の余剰燃料が回収されることでザーバカップ２内の燃料温度は次第に上昇する。
また、燃料タンク１内において燃料供給路５からは燃料調圧路９が分岐し、燃料調圧路９の先端はリザーバカップ２内に位置して後述するジェットポンプ１０が設けられている。燃料調圧路９には燃圧レギュレータ１１が介装され、燃圧レギュレータ１１の設定圧に基づき燃料供給路５の燃料の一部が調圧燃料として燃料調圧路９側に適宜逃がされることにより、エンジン６への供給燃料が設定圧に調整される。従って、燃料調圧路９内には燃圧レギュレータ１１を経た調圧燃料が流通し、その調圧燃料はジェットポンプ１０を経てリザーバカップ２内に排出される。
【００１８】
ジェットポンプ１０は調圧燃料の流通により発生した負圧を利用して、燃料タンク１内の燃料をリザーバカップ２内に流入させる役割を果たす。このためにジェットポンプ１０内には内部を流通する燃料の流速を高めるための絞り部１０ａが設けられ、この絞り部１０ａと対応する位置に吸入ポート１０ｂの一端が接続されている。吸入ポート１０ｂの他端はリザーバカップ２の下面２ａを介して燃料タンク１内、詳しくはリザーバカップ２の下面２ａと燃料タンク１の底面１ａとの間の間隙内に開口している。
【００１９】
燃料調圧路９からの調圧燃料はジェットポンプ１０内の絞り部１０ａにより絞られて流速を高められた後、ジェットポンプ１０の先端１０ｃからリザーバカップ２内に排出される。これにより吸入ポート１０ｂの接続箇所には負圧が発生し、燃料タンク１内の燃料が吸入ポート１０ｂに吸い上げられて調圧燃料と共にリザーバカップ２内に流入する。
リザーバカップ２内の燃料は燃料供給路５を経てエンジン６で消費される一方、ジェットポンプ１０の吸入ポート１０ｂを経て燃料タンク１内から流入するが、通常のエンジン運転域では、前者の消費量よりも後者の流入量の方が大となる。このため図１に示すように、燃料タンク１内の燃料液面が低下した状態であっても、リザーバカップ２内の燃料液面は上昇してリザーバカップ２の上部から燃料が溢流し続け、リザーバカップ２の上部に相当する燃料液面が常に保持される。
【００２０】
リザーバカップ２の下面２ａにはワンウェイバルブ１２が設けられ、ワンウェイバルブ１２はリザーバカップ２から燃料タンク１への燃料流出を阻止し、燃料タンク１からリザーバカップ２への燃料流入を許容する。何らかの要因によりジェットポンプ１０が機能しない場合、リザーバカップ２内の燃料液面はエンジン６の燃料消費に応じて次第に低下する。しかし、ワンウェイバルブ１２を介して燃料タンク１から燃料が逐次流入することから、リザーバカップ２内は燃料タンク１内とほぼ等しい燃料液面に保持される。
【００２１】
ところで、［発明が解決しようとする課題］で述べたように、軽油は低温時にパラフィンを析出させる性質があり、バイオディーゼル燃料も同様の性質を有する。燃料中にパラフィンが析出する温度域（パラフィン析出温度域）は燃料の種別や仕向地などで相違するが、例えば−２〜−１０℃未満の温度域をパラフィン析出温度域と見なすことができる。そして、リザーバカップ２内の燃料中に析出したパラフィンは燃料フィルタ７を目詰まりさせ、燃料フィルタ７に内蔵されたヒータだけでは不具合を解消できない場合がある。
【００２２】
本発明者は、リザーバカップ２内の燃料の熱的な収支を検討した結果、リザーバカップ２内の燃料に対して、エンジン６から受熱した余剰燃料の回収は温度を上昇させる方向に作用し、ジェットポンプ１０による燃料タンク１からの燃料の流入は温度を低下させる方向に作用することに着目した。
例えば低温環境下でエンジン６を始動させると、燃料タンク１及びリザーバカップ２内の燃料は共にパラフィン析出温度域にあることからパラフィンが析出する。燃料タンク１内の燃料温度がほとんど上昇しないのに対して、リザーバカップ２内の燃料温度は暖機中のエンジン６から受熱した余剰燃料が回収されて次第に上昇する。ところが、これと並行してリザーバカップ２内にはジェットポンプ１０により燃料タンク１内の低温の燃料が流入する。しかも、余剰燃料の流入に伴ってエンジン６から受熱した余剰燃料の一部がリザーバカップ２から溢流するため、その熱がリザーバカップ２内の燃料温度の上昇に貢献することなく無駄に捨てられてしまう。このため、リザーバカップ２内の燃料温度の上昇が緩慢になってパラフィンの融解が妨げられてしまう。
【００２３】
一方で、エンジン始動直後は高負荷運転を避けるためエンジン６の燃料消費量が少なく、また、必然的に車両の急激な加減速や旋回を控える傾向となる。これらの要因は、低温環境下では燃料タンク１内の燃料液面に比較して必ずしもリザーバカップ２内の燃料液面を上昇させる必要がないことを意味する。
以上のような知見に基づき、本発明ではリザーバカップ２内の燃料温度がパラフィン析出温度域にあるときに、迅速な昇温のためにジェットポンプ１０の機能を一時的に停止させる対策を実施しており、以下、当該対策について詳述する。
【００２４】
本実施形態では、ジェットポンプ１０を機能停止させるために、図２に示すようにジェットポンプ１０の吸入ポート１０ｂ内に網状部材１３（燃料流入制限手段）を配設している。網状部材１３は金属ワイヤを等間隔の角目状や菱目状に編み込んで平板状をなすように製作され、吸入ポート１０ｂの上流側と下流側とを区画するように燃料流通方向に対して直交する姿勢で配設されている。以下に述べるように網状部材１３は、燃料中に析出したパラフィンを捕捉して意図的に目詰まりすることで吸入ポート１０ｂを閉塞する役割を果たし、このために網状部材１３の網目はパラフィンを捕捉可能な程度に細かく設定されている。
【００２５】
なお、網状部材１３の材質や形状は上記に限ることはなく任意に変更可能であり、例えばその材質を合成樹脂に変更したり、網目形状を変更したりしてもよい。また、網状部材１３の設置場所についても吸入ポート１０ｂ内に限定されることはなく、例えばリザーバカップ２の下面２ａに吸入ポート１０ｂの開口箇所を閉塞するように配設してもよい。
次に、以上のように構成した車両用燃料タンク１のリザーバカップ装置の作用を説明する。
【００２６】
上記のように低温環境下では燃料タンク１及びリザーバカップ２内の燃料がパラフィン析出温度域にあり、それぞれの燃料中にパラフィンが析出する。このため、リザーバカップ２内の燃料と共にパラフィンが燃料ポンプ３により吸い上げられ、パラフィンは燃料フィルタ７に次第に捕捉される。燃料フィルタ７はある程度大きな濾過面積を有しており、また低温環境下ではヒータが作動して十分ではないとしてもパラフィンを融解させるため、燃料フィルタ７が早期に完全な目詰まりを生じることはない。よって、燃料供給路５及び燃料回収路８を経てリザーバカップ２とエンジン６との間で燃料の循環が継続され、暖機中のエンジン６から受熱した余剰燃料が回収されることによりリザーバカップ２内の燃料温度は次第に上昇する。
【００２７】
一方、これと並行して燃料タンク１内の燃料と共にパラフィンがジェットポンプ１０の吸入ポート１０ｂに吸い上げられ、パラフィンは網状部材１３に捕捉されて目詰まりさせる。網状部材１３は吸入ポート１０ｂの通路断面積に相当するごく狭い領域でパラフィンを捕捉するため、網状部材１３の目詰まりは早期に発生する。このため、エンジン始動のほとんど直後から吸入ポート１０ｂが閉塞されて、燃料タンク１内の低温の燃料のリザーバカップ２への流入が中断される。また、この流入中断に伴ってリザーバカップ２からの燃料の溢流も中断されるため、エンジン６から受熱した余剰燃料の熱は無駄なくリザーバカップ２内の燃料温度の昇温に利用される。従って、リザーバカップ２内の燃料温度が迅速に上昇して燃料中のパラフィンが速やかに融解される。また、この時点で既に燃料フィルタ７が部分的に目詰まりしている場合でも、温度上昇した燃料の供給によりパラフィンが融解されて目詰まりが解消される。
【００２８】
なお、このように吸入ポート１０ｂは遮断されるが燃圧レギュレータ１１の機能は妨げられていないため、エンジン６への供給燃料の圧力調整は何ら問題なく継続される。
また、ジェットポンプ１０が機能停止することにより、リザーバカップ２内の燃料液面はエンジン６の燃料消費に応じて次第に低下する。しかしながら、上記のようにワンウェイバルブ１２を介して燃料タンク１から燃料が逐次流入することから、リザーバカップ２内は燃料タンク１内とほぼ等しい燃料液面に保持されてエンジン６への燃料供給が継続される。
【００２９】
但し、本発明においてワンウェイバルブ１２は必ずしも必要な要件ではない。例えば予め実施した試験に基づき、ジェットポンプ１０の機能停止によりリザーバカップ２内の燃料が消費され尽くす以前に、燃料温度が上昇して網状部材１３のパラフィンが融解することが確実な場合には、必ずしもワンウェイバルブ１２を設ける必要はなく、これを省略してもよい。
【００３０】
このようにして燃料フィルタ７の目詰まりを防止しながらエンジン６の運転が継続される。そして、リザーバカップ２内の燃料温度が上昇してパラフィン析出温度域を超え、さらにリザーバカップ２の表面からの受熱により燃料タンク１内の燃料温度もある程度上昇した時点で、吸入ポート１０ｂの網状部材１３に捕捉されたパラフィンが融解する。従って、吸入ポート１０ｂの閉塞が解消されてジェットポンプ１０により燃料タンク１内の燃料がリザーバカップ２内に流入し始め、これによりリザーバカップ２内の燃料液面が上昇して上部からの溢流が開始される。よって、以降は本来のリザーバカップ２による機能、即ち燃料の液面揺動に起因する吸い上げ不良を防止する機能が得られる。
【００３１】
以上のように本実施形態の車両用燃料タンク１のリザーバカップ装置によれば、ジェットポンプ１０の吸入ポート１０ｂ内に網状部材１３を配設して、燃料中にパラフィンが析出する低温環境下では、パラフィンにより網状部材１３を意図的に目詰まりさせて吸入ポート１０ｂを閉塞し、これによりジェットポンプ１０を一時的に機能停止させている。このため、燃料タンク１内の低温の燃料のリザーバカップ２への流入を中断してリザーバカップ２内の燃料を迅速に昇温でき、もって燃料中に析出したパラフィンによる燃料フィルタ７の目詰まりを未然に回避することができる。
【００３２】
ここで、以上の作用効果を得るには、燃料中に析出したパラフィンにより網状部材１３を早期に目詰まりさせることが重要であり、そのために本実施形態では、吸入ポート１０ｂ内に網状部材１３を配設して吸入ポート１０ｂの通路断面積に相当するごく狭い領域でパラフィンを捕捉させている。例えば特許文献１に記載された技術でも、撥水性フィルタを介して燃料タンク１内の燃料をリザーバカップ２内に流入させており、この撥水性フィルタは燃料から水分を濾過する目的のため、その特性が相違（パラフィンの捕捉と撥水との相違）することは当然であるが、それに加えて大きさが全く相違する。
【００３３】
即ち、特許文献１の撥水性フィルタは、燃料タンク１内の水面が上昇しても流通抵抗を増加させることなく燃料を吸い上げる必要があるとの観点の下に、リザーバカップ２の下部より上方に向けて延設された非常に大きな濾過面積に形成されている。言うまでもないが、この撥水性フィルタに倣って本実施形態の網状部材１３の面積を拡大すれば、パラフィンを捕捉しても目詰まりが発生せず、ジェットポンプ１０を機能停止できないことは明らかである。このように本実施形態では網状部材１３の面積を狭い領域に制限しているが故に、燃料中に析出したパラフィンにより網状部材１３を早期に目詰まりさせてジェットポンプ１０を機能停止でき、もってリザーバカップ２内の燃料を迅速に昇温できるのである。
【００３４】
次に、本発明を別の車両用燃料タンク１のリザーバカップ装置に具体化した第２実施形態を説明する。
本実施形態のリザーバカップ装置の基本的な構成は、図１に基づき述べた第１実施形態のものと同様であり、相違点は、第１実施形態の網状部材１３に代えてバイメタル式の開閉弁２１（燃料流入制限手段）を用いた点にある。そこで、共通する構成の箇所は同一部材番号を付して説明を省略し、相違点である開閉弁２１の構成及び作用効果について詳述する。
【００３５】
図３は本実施形態の車両用燃料タンク１のリザーバカップ装置を示す全体構成図、図４はジェットポンプ１０の詳細を示す部分拡大断面図である。
図３に示すように、第１実施形態の網状部材１３に代えて吸入ポート１０ｂの途中には開閉弁２１が配設されている。図４に示すように開閉弁２１は、ジェットポンプ１０の吸入ポート１０ｂ内に設けられた弁座２２、弁座２２を開閉する弁体２３、及び操作ロッド２４を介して先端２５ａを弁体２３に連結され、基端２５ｂを図示しないブラケットに固定されたバイメタル２５から構成されている。
【００３６】
周知のようにバイメタル２５は、熱膨張率が異なる２種の金属を貼り合わせて製作され、温度変化に応じて湾曲状態を変化させる性質を有する。本実施形態では、バイメタル２５を常にリザーバカップ２内の燃料に浸漬させて、燃料温度が低下するほどバイメタル２５が湾曲して弁体２３を下方に変位させるようになっている。このため、燃料温度がパラフィン析出温度域よりも高いときには、弁体２３が弁座２２から離間して吸入ポート１０ｂを開放し、一方、燃料温度がパラフィン析出温度域まで低下すると、弁体２３が弁座２２に着座して吸入ポート１０ｂを閉塞する。
【００３７】
従って、低温環境下でリザーバカップ２内の燃料がパラフィン析出温度域にあるときには、吸入ポート１０ｂの変速によりジェットポンプ１０が機能停止し、燃料タンク１内の低温の燃料のリザーバカップ２への流入が中断される。このため、重複する説明はしないが第１実施形態と同じく、エンジン６から受熱した余剰燃料の回収によりリザーバカップ２内の燃料を迅速に昇温でき、もって燃料中に析出したパラフィンによる燃料フィルタ７の目詰まりを未然に回避することができる。
【００３８】
なお、本実施形態では開閉弁２１のバイメタル２５がリザーバカップ２内の燃料に浸漬されているため、その燃料温度がパラフィン析出温度域を超えると、開閉弁２１の弁体２３が弁座２２から離間して吸入ポート１０ｂを開放する。よって、この時点でジェットポンプ１０により燃料タンク１内の燃料がリザーバカップ２内に流入し始め、本来のリザーバカップ２による機能が得られる。
【００３９】
次に、本発明を別の車両用燃料タンク１のリザーバカップ装置に具体化した第３実施形態を説明する。
本実施形態のリザーバカップ装置の基本的な構成は、図１に基づき述べた第１実施形態のものと同様であり、相違点は、第１実施形態の網状部材１３に代えて電磁式の開閉弁３１（燃料流入制限手段）を用いた点にある。そこで、共通する構成の箇所は同一部材番号を付して説明を省略し、相違点である開閉弁３１の構成及び作用効果について詳述する。
【００４０】
図５は本実施形態の車両用燃料タンク１のリザーバカップ装置を示す全体構成図である。
ジェットポンプ１０の吸入ポート１０ｂの途中には電磁式の開閉弁３１が配設され、この開閉弁３１の開閉に応じて吸入ポート１０ｂが開放・閉塞されるようになっている。開閉弁３１は燃料フィルタ７に内蔵されたヒータから制御信号を入力し、ヒータと連動して開閉する。即ち、リザーバカップ２内の燃料温度が低下してパラフィン析出温度域となるとヒータが作動し、そのヒータからの制御信号に基づき開閉弁３１が閉弁する。一方、リザーバカップ２内の燃料温度が上昇してパラフィン析出温度域を超えるとヒータが作動中止し、それに応じて開閉弁３１が開弁する。
【００４１】
従って、低温環境下でリザーバカップ２内の燃料がパラフィン析出温度域にあるときには、開閉弁３１が閉弁して吸入ポート１０ｂを閉塞し、ジェットポンプ１０が機能停止して燃料タンク１内の低温の燃料のリザーバカップ２への流入が中断される。このため、重複する説明はしないが第１，２実施形態と同じく、エンジン６から受熱した余剰燃料の回収によりリザーバカップ２内の燃料を迅速に昇温でき、もって燃料中に析出したパラフィンによる燃料フィルタ７の目詰まりを未然に回避することができる。
【００４２】
以上で実施形態の説明を終えるが、本発明の態様はこれら第１〜３実施形態に限定されるものではない。例えば各実施形態では、燃圧レギュレータ１１からの調圧燃料をジェットポンプ１０内に流通させて負圧を発生させたが、これに限ることはない。例えば特許文献１の技術と同様に、燃料ポンプ３から吐出された燃料の一部をジェットポンプ１０内に流通させることで負圧を発生させてもよい。
【００４３】
また、上記各実施形態ではリザーバカップ２内に燃料ポンプ３を配設する一方、燃料タンク１内に燃圧レギュレータ１１を配設し、燃料タンク１外に燃料フィルタ７を配設したが、これらのレイアウトは適宜変更可能である。例えば燃料ポンプ３をリザーバカップ２外或いは燃料タンク１外に配設してもよいし、燃圧レギュレータ１１及び燃料フィルタ７を共に燃料タンク１内に配設したり燃料タンク１外に配設したりしてもよい。
【００４４】
また、上記第１実施形態では網状部材１３の目詰まりによりジェットポンプ１０の吸入ポート１０ｂを完全に閉塞し、第２，３実施形態では開閉弁２１，３１の閉弁により吸入ポート１０ｂを完全に閉塞したが、これに限定されるものではない。吸入ポート１０ｂを完全に閉塞しなくても、部分的な閉塞により吸入ポート１０ｂを流通する燃料を制限しさえすれば、リザーバカップ２内の燃料温度の上昇は促進される。よって、例えば網状部材１３を吸入ポート１０ｂ内に部分的に配設したり、開閉弁２１，３１を全閉させずに閉弁方向に作動させたりして、吸入ポート１０ｂ内の燃料流通を制限するようにしてもよい。
【符号の説明】
【００４５】
１          燃料タンク
２          リザーバカップ
３          燃料ポンプ
６          エンジン
７          燃料フィルタ
１０        ジェットポンプ
１０ｂ      吸入ポート
１３        網状部材（燃料流入制限手段）
２１，３１  開閉弁（燃料流入制限手段）
２５        バイメタル
【図１】
0005896129.tif 000002
【図２】
0005896129.tif 000003
【図３】
0005896129.tif 000004
【図４】
0005896129.tif 000005
【図５】
0005896129.tif 000006